(57)【要約】【課題】電線の周囲を覆う保護部材において、電線により簡単に装着できる技術を提供すること。【解決手段】保護部材３は、一方端縁４を含む一方側端縁部４１が他方端縁５を含む他方側端縁部５１の上に重なる状態で筒状に形成され、中空部３０を含む。そして、一方端縁４は、中空部３０の軸心方向における両端部のうちの始点部４９よりも保護部材３の周方向において突出した部分である突出部４２を、始点部４９よりも終点部４８側に有する。【選択図】図７
2016127723.tif 000002
【特許請求の範囲】
【請求項１】
一方の端縁を含む部分が他方の端縁を含む部分の上に重なる状態で筒状に形成され、中空部を含む保護部材であって、
前記一方の端縁は、前記中空部の軸心方向における両端部のうちの一方の端部よりも前記保護部材の周方向において突出した部分である突出部を、前記一方の端部よりも前記他方の端部側に有する、保護部材。
【請求項２】
請求項１に記載の保護部材であって、
前記突出部は、前記突出部における前記周方向において最も突出した部分である最突出部と、前記最突出部に向けて徐々に突出する途中突出部と、を含む、保護部材。
【請求項３】
請求項２に記載の保護部材であって、
前記最突出部は、前記軸心方向における両端部の間の中間部分に設けられている、保護部材。
【請求項４】
請求項１から請求項３のいずれか１項に記載の保護部材であって、
前記他方の端縁が、前記一方の端縁の輪郭に沿う形状である、保護部材。
【請求項５】
請求項１から請求項４のいずれか１項に記載の保護部材と、
前記保護部材の前記中空部に挿通された電線と、を備える電線モジュール。
【発明の詳細な説明】
【技術分野】
【０００１】
本発明は、電線の周囲に取り付けられる保護部材及び該保護部材を含む電線モジュールに関する。
【背景技術】
【０００２】
自動車等の車両に搭載されるワイヤーハーネスにおいて、電線の周囲を覆い保護する保護部材を備えることがある。
【０００３】
例えば、特許文献１に示される例では、電線の周囲を覆い保護する保護部材が示されている。特許文献１に示される例において、保護部材は、一方の端縁を含む部分（以下、端縁部）が他方の端縁部の上側に重なるオーバーラップ型のコルゲートチューブである。
【先行技術文献】
【特許文献】
【０００４】
【特許文献１】実開平０４−１３７４２３号公報
【発明の概要】
【発明が解決しようとする課題】
【０００５】
特許文献１に示される例において、この保護部材を電線に装着する作業では、保護部材の一方の端縁部全体を他方の端縁部から離隔させ、保護部材が開いた状態を作る必要がある。ここで、例えば、保護部材の取り付け対象領域が比較的長い場合或いは保護部材に後から追加の電線が収容される場合等、一方の端縁部全体を他方の端縁部から離隔させて保護部材を開く作業が煩雑化することがある。このため、より簡単に電線に装着可能な保護部材が求められている。
【０００６】
本発明は、電線の周囲を覆う保護部材において、電線により簡単に装着できる技術を提供することを目的とする。
【課題を解決するための手段】
【０００７】
第１態様に係る保護部材は、一方の端縁を含む部分が他方の端縁を含む部分の上に重なる状態で筒状に形成され、中空部を含む保護部材であって、前記一方の端縁は、前記中空部の軸心方向における両端部のうちの一方の端部よりも前記保護部材の周方向において突出した部分である突出部を、前記一方の端部よりも前記他方の端部側に有する。
【０００８】
第２態様に係る保護部材は、第１態様に係る保護部材の一態様である。第２態様に係る保護部材においては、前記突出部は、前記突出部における前記周方向において最も突出した部分である最突出部と、前記最突出部に向けて徐々に突出する途中突出部と、を含む。
【０００９】
第３態様に係る保護部材は、第２態様に係る保護部材の一態様である。第３態様に係る保護部材においては、前記最突出部は、前記軸心方向における両端部の間の中間部分に設けられている。
【００１０】
第４態様に係る保護部材は、第１態様から第３態様のいずれか１つに係る保護部材の一態様である。第４態様に係る保護部材においては、前記他方の端縁が、前記一方の端縁の輪郭に沿う形状である。
【００１１】
第５態様に係る電線モジュールは、第１態様から第４態様のいずれか１つに係る保護部材と、前記保護部材の前記中空部に挿通された電線と、を備える。
【発明の効果】
【００１２】
上記の各態様において、保護部材における一方の端縁は、中空部の軸心方向における両端部のうちの一方の端部よりも保護部材の周方向において突出した部分である突出部を、一方の端部よりも他方の端部側に有する。この場合、一方の端縁の突出部と他方の端縁を含む部分との間に電線を挟み、この状態で保護部材を周方向に回転させることで、電線が保護部材の中空部に挿通された状態を作ることができる。このため、一方の端縁全体を他方の端縁を含む部分から離隔させて保護部材が開いた状態を作り、保護部材が開いた状態を維持したまま電線を収容するという従来の煩雑な作業に比べ、比較的簡単に保護部材の中空部に電線を挿通させることができる。即ち、保護部材を電線により簡単に装着することが可能となる。
【００１３】
また、上記の第２態様において、突出部は、突出部における周方向において最も突出した部分である最突出部に向けて徐々に突出する途中突出部を含む。この場合、一方の端縁における最突出部と他方の端縁を含む部分とに電線が挟まれた状態で保護部材が周方向に回転させられる。この際、電線が一方の端縁に接触した場合でも、最突出部に向けて徐々に突出する途中突出部によって、電線は、保護部材の回転に伴い徐々に保護部材の中空部内に案内される。このため、保護部材を周方向に回転させる作業において、電線が一方の端縁に引っ掛かることを抑制でき、保護部材の中空部に電線を収容する作業の作業性を向上させることができる。
【００１４】
また、上記の第３態様において、最突出部は、軸心方向における両端部の間の中間部分に設けられている。この場合、一方の端縁の最突出部と他方の端縁を含む部分との間に挟まれた電線は、最突出部から一方の端部と他方の端部との両方に延びる途中突出部によって保護部材の中空部内に案内される。このため、保護部材を周方向に回転させる作業において、電線が一方の端縁に引っ掛かることをより抑制でき、保護部材の中空部に電線を収容する作業の作業性をより向上させることができる。
【００１５】
また、上記の第４態様において、他方の端縁が、一方の端縁の輪郭に沿う形状を有する。この場合、保護部材の一方の端縁部を他方の端縁部から離隔させることで形成される電線を収容可能な隙間をより大きくすることができ、保護部材の中空部に電線を収容する作業の作業性を向上させることができる。
【図面の簡単な説明】
【００１６】
【図１】第１実施形態に係る電線モジュールの一部分解側面図である。
【図２】第１実施形態に係る電線モジュールにおける保護部材の斜視図である。
【図３】第１実施形態に係る電線モジュールの一部分解側面図である。
【図４】第１実施形態に係る電線モジュールの一部分解断面図である。
【図５】第１実施形態に係る電線モジュールの一部分解断面図である。
【図６】第１実施形態に係る電線モジュールの一部分解側面図である。
【図７】第１実施形態に係る電線モジュールの側面図である。
【図８】第２実施形態に係る電線モジュールの側面図である。
【図９】第３実施形態に係る電線モジュールの側面図である。
【図１０】第４実施形態に係る電線モジュールの側面図である。
【図１１】第５実施形態に係る電線モジュールの側面図である。
【図１２】第５実施形態に係る電線モジュールにおける保護部材の製造工程の一部を示す斜視図である。
【発明を実施するための形態】
【００１７】
以下、添付の図面を参照しつつ、実施形態について説明する。以下の実施形態は、本発明を具現化した一例であり、本発明の技術的範囲を限定する事例ではない。
【００１８】
＜第１実施形態＞
図１〜７を参照しつつ、第１実施形態に係る電線モジュール１００について説明する。電線モジュール１００は、電線２と保護部材３とを備える。電線モジュール１００は、例えば、自動車等の車両に搭載される。
【００１９】
また、本実施形態において、電線２は、先入れ電線２１と後入れ電線２２とを含んでいる。
【００２０】
図１は、電線モジュール１００の一部分解側面図である。図１では、先入れ電線２１のみが保護部材３に収容された状態が示されている。図２は、電線モジュール１００における保護部材３の斜視図である。図３，６は、それぞれ電線モジュール１００の一部分解側面図である。図３，６では、後入れ電線２２を保護部材３に収容する様子が示されている。図４，５は、電線モジュール１００の一部分解断面図である。図４，５は、保護部材３に後入れ電線２２を収容する様子を示す断面図である。また、図４は、図３のＩＩ−ＩＩ線における断面図である。図５は、図３のＩＩＩ−ＩＩＩ線における断面図である。図６は、電線モジュール１００の一部分解側面図である。図７は、電線モジュール１００の側面図である。即ち、図７では、先入れ電線２１及び後入れ電線２２が保護部材３に収容された状態が示されている。
【００２１】
＜電線モジュール：保護部材＞
電線モジュール１００において、保護部材３は、一方の端縁（以下、一方端縁４）を含む部分（以下、一方側端縁部４１）が他方の端縁（以下、他方端縁５）を含む部分（以下、他方側端縁部５１）の上に重なる状態で筒状に形成されている。そして、保護部材３は、中空部３０を含んでいる。
【００２２】
本実施形態では、保護部材３は、自然状態において、一方端縁４を含む一方側端縁部４１が他方端縁５を含む他方側端縁部５１の上に重なる状態を形成する。また、本実施形態では、図１，２に示されるように、自然状態の保護部材３においては、一方側端縁部４１が他方側端縁部５１の表面に接触した状態で他方側端縁部５１の上に重なる場合が示されている。
【００２３】
しかしながら、自然状態の保護部材３において、一方側端縁部４１と他方側端縁部５１との間に隙間が形成された状態で一方側端縁部４１が他方側端縁部５１の上に重なる場合も考えられる。この場合、電線２を収容した状態の保護部材３においては、テープ等の結束部材が保護部材３に巻かれることが好ましい。
【００２４】
なお、自然状態における保護部材３とは、外力が加えられていない状態の保護部材３を意味する。
【００２５】
また、本実施形態では、一方側端縁部４１は、保護部材３において重なった部分における一方端縁４を含む部分である。また、他方側端縁部５１は、保護部材３において重なった部分における他方端縁５を含む部分である。
【００２６】
保護部材３における中空部３０は、電線２を挿通可能な空間である。本実施形態では、中空部３０の断面形状は、円形状である。しかしながら、中空部３０の断面形状が、角丸長方形状又は矩形状等の円形状以外の形状である場合も考えられる。
【００２７】
保護部材３において、一方端縁４は、中空部３０の軸心方向における両端部のうちの一方の端部よりも保護部材３の周方向において突出した部分である突出部４２を、一方の端部よりも他方の端部側に有する。以下、一方端縁４における一方の端部を始点部４９と称する。また、一方端縁４における他方の端部を終点部４８と称する。なお、中空部３０の軸心方向は、電線モジュール１００において、電線２の延在方向に一致する方向でもある。
【００２８】
本実施形態では、保護部材３の周方向において、始点部４９の位置と終点部４８の位置とが同じである場合を説明する。なお、保護部材３の周方向において始点部４９の位置と終点部４８の位置とが異なる場合は、保護部材３の周方向において他方端縁５に近い方が始点部４９と設定されることが好ましい。
【００２９】
本実施形態において、一方端縁４は、始点部４９と突出部４２と終点部４８とを含む。また、本実施形態では、突出部４２は、突出部４２における最も周方向に突出した部分である最突出部４３と、最突出部４３に向けて徐々に突出する部分である途中突出部４４と、を含んでいる。
【００３０】
また、本実施形態において、他方端縁５では、その端面が中空部３０の軸心方向に沿う平面に構成されている。即ち、他方端縁５の輪郭は、直線状に形成されている。なお、他方端縁５の輪郭が直線状以外の形状、即ち、曲線状である場合も考えられる。詳しくは後述する。
【００３１】
保護部材３は、例えば、樹脂製の部材であることが考えられる。
【００３２】
＜電線モジュール：保護部材（突出部）＞
突出部４２は、一方端縁４のうち、保護部材３の周方向において始点部４９の他方端縁５側に対し反対側に存在する部分である。ここで、本実施形態では、保護部材３の周方向において、始点部４９と終点部４８とが同じ位置に設けられている。そして、図１，２に示されるように、本実施形態は、一方端縁４において始点部４９及び終点部４８を除く全ての部分が、保護部材３の周方向において始点部４９の他方端縁５側に対し反対側に存在する突出部４２を成す場合の事例である。
【００３３】
なお、本実施形態では、突出部４２が、始点部４９から最突出部４３に向かって延びる途中突出部４４と最突出部４３から終点部４８に向かって延びる途中突出部４４とを含む場合が示されている。以下、必要に応じ、始点部４９から最突出部４３に向かって延びる途中突出部４４を途中突出部４４１と、最突出部４３から終点部４８に向かって延びる途中突出部４４を途中突出部４４２と、区別して称する。
【００３４】
途中突出部４４は、最突出部４３に向けて徐々に突出する部分である。ここで、最突出部４３に向けて徐々に突出するとは、軸心方向に沿って最突出部４３側に向かうにつれ、周方向において始点部４９側から最突出部４３側に近づくことを意味する。
【００３５】
即ち、途中突出部４４は、周方向において傾斜している。ここで、保護部材３を側方から見たとき、途中突出部４４は、中空部３０の軸心方向に交差する直線状又は曲線状の部分であることが考えられる。なお、本実施形態では、途中突出部４４は、保護部材３の側方から見て中空部３０の軸心方向に対し直線状に交差する縁を含んでいる。
【００３６】
そして、本実施形態では、突出部４２は、始点部４９側から最突出部４３に向けて徐々に突出する途中突出部４４１と終点部４８側から最突出部４３に向けて徐々に突出する途中突出部４４２とを含む。そして、途中突出部４４１と途中突出部４４２とが、一点で交差して繋がっている。即ち、途中突出部４４１と途中突出部４４２とが角度を成して連なっている。
【００３７】
なお、図２に示されるように、本実施形態において、途中突出部４４の端面は、平坦に構成されている。途中突出部４４は、保護部材３の側方から見て中空部３０の軸心方向に対し直線状に交差するためである。なお、途中突出部４４の端面が湾曲面に構成されている場合も考えられる。この場合、途中突出部４４は、保護部材３の側方から見て中空部３０の軸心方向に対し曲線状に交差することが考えられる。詳しくは後述する。
【００３８】
本実施形態では、途中突出部４４１と途中突出部４４２とが交差する部分が、最突出部４３を成す。即ち、本実施形態において、最突出部４３は、軸心方向における両端部、即ち、一方の端部（始点部４９）と他方の端部（終点部４８）との間の中間部分に設けられている。
【００３９】
なお、図１，７に示されるように、本実施形態では、最突出部４３から始点部４９に亘る部分と最突出部４３から終点部４８に亘る部分との寸法が同じになるように、最突出部４３の位置が設定されている。即ち、中空部３０の軸心方向において保護部材３の真ん中に最突出部４３が設けられている。なお、最突出部４３の位置が保護部材３の真ん中以外の位置であってもよい。
【００４０】
最突出部４３は、一方側端縁部４１と他方側端縁部５１とが形成された状態の保護部材３において、突出部４２のうち保護部材３の周方向における他方端縁５からの距離が最も大きくなる部分である。
【００４１】
上述のように、本実施形態において、最突出部４３は、中空部３０の軸心方向において幅を有していない。最突出部４３は、途中突出部４４１と途中突出部４４２との交点であるためである。なお、最突出部４３が中空部３０の軸心方向において幅を有する場合も考えられる。詳しくは後述する。
【００４２】
＜電線モジュール：電線＞
本実施形態において、電線２は、例えば、芯線と芯線の周囲を覆う絶縁被覆とを備える絶縁電線を含むことが考えられる。この場合、芯線は、例えば、銅又はアルミニウム等の金属を主成分とする部材であることが考えられる。また、絶縁被覆は、例えば、ポリエチレン又は塩化ビニル等を主成分とする合成樹脂の部材であることが考えられる。
【００４３】
また、電線モジュール１００においては、電線２は、複数の絶縁電線を含む場合又は１つの絶縁電線を含む場合が考えられる。
【００４４】
本実施形態では、電線２は、先入れ電線２１と後入れ電線２２とを含む。なお、先入れ電線２１においても、１つの絶縁電線を含む場合又は複数の絶縁電線を含む場合が考えられる。同様に、後入れ電線２２においても、１つの絶縁電線を含む場合又は複数の絶縁電線を含む場合が考えられる。
【００４５】
例えば、先入れ電線２１は、後入れ電線２２に比べ、比較的大電流が流れる電線であることが考えられる。この場合、先入れ電線２１に含まれる絶縁電線の数が後入れ電線２２に含まれる絶縁電線の数よりも多いこと、或いは先入れ電線２１に含まれる絶縁電線の径が後入れ電線２２に含まれる絶縁電線の径よりも大きいこと等が考えられる。また、後入れ電線２２は、例えば、新たに回路を追加する必要が生じた場合に、保護部材３内に収容される電線であることが考えられる。
【００４６】
＜電線モジュール：電線の収容作業＞
次に、図３〜６を参照しつつ、本実施形態の電線モジュール１００における電線収容作業の一例について説明する。なお、以下の説明では、保護部材３に先入れ電線２１が収容されている状態から、さらに後入れ電線２２が追加で保護部材３に収容される場合を説明する。
【００４７】
まず、図３に示されるように、保護部材３の一方端縁４の最突出部４３を他方側端縁部５１から離隔させ、一方端縁４と他方側端縁部５１との間に隙間を作る。ここで、本実施形態では、最突出部４３が、２つの途中突出部４４が交差する部分である。このため、一方端縁４の中空部３０の軸心方向における比較的狭い領域が他方側端縁部５１から離隔させられる。なお、最突出部４３が他方側端縁部５１から離隔された状態において、一方端縁４における最突出部４３以外の部分、例えば、途中突出部４４の一部、始点部４９或いは終点部４８が、他方側端縁部５１に接触していてもよい。
【００４８】
そして、最突出部４３が他方側端縁部５１から離隔された状態においては、図３〜５に示されるように、最突出部４３と他方側端縁部５１との間に後入れ電線２２が設けられる。このとき、図４に示されるように、最突出部４３の箇所においては、後入れ電線２２は、最突出部４３と他方側端縁部５１との双方に挟まれた状態となる。
【００４９】
一方、例えば、始点部４９の箇所においては、図５に示されるように、後入れ電線２２の一方側には、他方側端縁部５１が存在しているが、他方側には後入れ電線２２を覆うものがない。即ち、始点部４９の箇所においては、後入れ電線２２の他方側端縁部５１側に対し反対側の部分が露出している。
【００５０】
そして、本実施形態では、最突出部４３と他方側端縁部５１との間に後入れ電線２２が介在した状態で、保護部材３は、保護部材３の周方向に沿って回転させられる。ここで、保護部材３は、自然状態において他方側端縁部５１の上に一方側端縁部４１が重なる構造を有する。このため、保護部材３が回転するにつれ、最突出部４３と他方側端縁部５１との間に介在していた後入れ電線２２が、他方端縁５側に移動する。
【００５１】
また、保護部材３を回転させる作業において、例えば、図６に示されるように、一方端縁４の最突出部４３以外の部分に後入れ電線２２が接触することも考えられる。ここで、本実施形態では、保護部材３は、最突出部４３に向けて徐々に突出する途中突出部４４を含む。このため、一方端縁４における途中突出部４４に後入れ電線２２が接触しても、後入れ電線２２が途中突出部４４に引っ掛かることなく、保護部材３の回転とともに円滑に保護部材３の中空部３０内に案内される。
【００５２】
従って、保護部材３の回転に伴い、後入れ電線２２が、徐々に中空部３０内へと移動する。その結果、後入れ電線２２の周囲を保護部材３が覆う状態が作られる。これにより、先入れ電線２１及び後入れ電線２２を含む電線２と保護部材３とを備える本実施形態の電線モジュール１００を得ることができる。
【００５３】
＜電線モジュール＞
電線モジュール１００においては、一方端縁４の突出部４２（本例では最突出部４３）と他方側端縁部５１との間に電線（本例では後入れ電線２２）を挟み、この状態で保護部材３を周方向に回転させることで、電線が保護部材３の中空部３０に挿通された状態を作ることができる。このため、本実施形態では、一方端縁４全体を他方側端縁部５１から離隔させて保護部材３が開いた状態を作ること、及び、保護部材３が開いた状態を維持したまま電線を収容すること、が不要となる。即ち、従来の煩雑な電線収容作業に比べ、比較的簡単に保護部材３の中空部３０に電線を挿通させることができる。即ち、保護部材３を電線により簡単に装着することが可能となる。このため、例えば、保護部材３の取り付け対象領域が比較的長い場合等に、保護部材３を電線に取り付ける作業が煩雑化することを抑制できる。
【００５４】
また、本実施形態では、保護部材３は、途中突出部４４を含む。この場合、一方端縁４における最突出部４３と他方側端縁部５１とに電線が挟まれた状態で保護部材３が周方向に回転させられる。この際、電線が一方端縁４に接触した場合でも、最突出部４３に向けて徐々に突出する途中突出部４４によって、電線は、保護部材３の回転に伴い徐々に保護部材３の中空部３０内に案内される。このため、保護部材３を周方向に回転させる作業において、電線が一方端縁４に引っ掛かることを抑制でき、保護部材３の中空部３０に電線を収容する作業の作業性を向上させることができる。
【００５５】
また、本実施形態において、最突出部４３は、軸心方向における両端部（本例では始点部４９と終点部４８）の間の中間部分に設けられている。この場合、一方端縁４の最突出部４３と他方側端縁部５１との間に挟まれた電線は、最突出部４３から始点部４９と終点部４８との両方に延びる途中突出部４４１，４４２によって保護部材３の中空部３０内に案内される。このため、保護部材３を周方向に回転させる作業において、電線が一方端縁４に引っ掛かることをより抑制でき、保護部材３の中空部３０に電線を収容する作業の作業性をより向上させることができる。
【００５６】
＜第２実施形態＞
次に、図８を参照しつつ、第２実施形態に係る電線モジュール２００について説明する。電線モジュール２００は、第１実施形態と異なる保護部材３Ａを含む。図８は、第２実施形態に係る電線モジュール２００の側面図である。なお、図８において、図１〜７に示される構成要素と同じ構成要素は、同じ参照符号が付されている。以下、本実施形態における第１実施形態と異なる点について説明する。
【００５７】
電線モジュール２００は、電線２と保護部材３Ａとを備える。電線２は、第１実施形態と構造が同じであるため説明を省略する。
【００５８】
そして、保護部材３Ａの一方端縁４Ａは、突出部４２Ａを備える。なお、保護部材３Ａの他方端縁５は、第１実施形態と同様の構造であるため、説明を省略する。
【００５９】
本実施形態では、図８に示されるように、突出部４２Ａは、最突出部４３を、一方端縁４の一方側の端部（始点部４９）に対する他方側の端部（第１実施形態の終点部４８に相当する部分）に有する。そして、始点部４９と最突出部４３とを繋ぐ途中突出部４４を１つ含んでいる。
【００６０】
本実施形態では、一方端縁４の他方側の端部に設けられた最突出部４３と他方側端縁部５１との間に電線を挟み、この状態で保護部材３Ａを周方向に回転させることで、電線が保護部材３Ａの中空部３０に挿通された状態を作ることができる。このため、本実施形態においても、保護部材３Ａを電線により簡単に装着することが可能となる。
【００６１】
＜第３実施形態＞
次に、図９を参照しつつ、第３実施形態に係る電線モジュール３００について説明する。電線モジュール３００は、第１実施形態及び第２実施形態と異なる保護部材３Ｂを含む。図９は、第３実施形態に係る電線モジュール３００の側面図である。なお、図９において、図１〜８に示される構成要素と同じ構成要素は、同じ参照符号が付されている。以下、本実施形態における第１実施形態及び第２実施形態と異なる点について説明する。
【００６２】
電線モジュール３００は、電線２と保護部材３Ｂとを備える。電線２は、第１実施形態と構造が同じであるため説明を省略する。
【００６３】
そして、保護部材３Ｂの一方端縁４Ｂは、突出部４２Ｂを備える。なお、保護部材３Ｂの他方端縁５は、第１実施形態と同様の構造であるため、説明を省略する。
【００６４】
本実施形態では、突出部４２Ｂは、最突出部４３Ｂと２つの途中突出部４４Ｂとを備える。以下、必要に応じ、２つの途中突出部４４Ｂを、途中突出部４４１Ｂ及び途中突出部４４２Ｂと区別して称する。
【００６５】
図９に示されるように、最突出部４３Ｂは、中空部３０の軸心方向において幅を有している。また、途中突出部４４Ｂは、その端面が湾曲面を構成している。なお、途中突出部４４１Ｂは、始点部４９から最突出部４３Ｂに向けて徐々に突出する部分である。また、途中突出部４４２Ｂは、終点部４８から最突出部４３Ｂに向けて徐々に突出する部分である。
【００６６】
なお、本実施形態においても、一方端縁４Ｃの突出部４２Ｃと他方側端縁部５１との間に電線を挟み、この状態で保護部材３Ｃを周方向に回転させることで、保護部材３Ｃを電線により簡単に装着することが可能となる。
【００６７】
＜第４実施形態＞
次に、図１０を参照しつつ、第４実施形態に係る電線モジュール４００について説明する。電線モジュール４００は、第１実施形態、第２実施形態及び第３実施形態と異なる保護部材３Ｃを含む。図１０は、第４実施形態に係る電線モジュール４００の側面図である。なお、図１０において、図１〜９に示される構成要素と同じ構成要素は、同じ参照符号が付されている。以下、本実施形態における第１実施形態、第２実施形態及び第３実施形態と異なる点について説明する。
【００６８】
電線モジュール４００は、電線２と保護部材３Ｃとを備える。電線２は、第１実施形態と構造が同じであるため説明を省略する。
【００６９】
そして、保護部材３Ｃの一方端縁４Ｃは、突出部４２Ｃと非突出部４５とを備える。なお、保護部材３Ｃの他方端縁５は、第１実施形態と同様の構造であるため、説明を省略する。
【００７０】
本実施形態では、突出部４２Ｃは、最突出部４３Ｃと途中突出部４６とを備える。図１０に示されるように、最突出部４３Ｃは、第３実施形態と同様、中空部３０の軸心方向において幅を有している。また、本実施形態では、最突出部４３Ｃは、一方端縁４Ｃの他方側の端部（第１実施形態の終点部４８に相当する部分）を含んでいる。
【００７１】
本実施形態において、途中突出部４６は、その端面が中空部３０の周方向に沿う平面に構成されている。なお、本実施形態では、図１０に示されるように、突出部４２Ｃは、途中突出部４６を１つ含む場合が示されている。しかしながら、突出部４２Ｃが、複数の途中突出部４６を含む場合、即ち、段差を含むステップ形状に形成されている場合も考えられる。
【００７２】
本実施形態では、非突出部４５は、始点部４９に連なる部分であり、その端面が中空部３０の軸心方向に沿う平面に構成されている。従って、保護部材３Ｃの周方向において、非突出部４５の位置と始点部４９の位置とが同じである。
【００７３】
本実施形態においても、保護部材３Ｃを電線により簡単に装着することが可能となる。
【００７４】
＜第５実施形態＞
次に、図１１，１２を参照しつつ、第５実施形態に係る電線モジュール５００について説明する。電線モジュール５００は、第１実施形態、第２実施形態、第３実施形態及び第４実施形態と異なる保護部材３Ｄを含む。図１１は、第５実施形態に係る電線モジュール５００の側面図である。図１２は、保護部材３Ｄを製造する様子を示す斜視図である。なお、図１１，１２において、図１〜１０に示される構成要素と同じ構成要素は、同じ参照符号が付されている。以下、本実施形態における第１実施形態、第２実施形態、第３実施形態及び第４実施形態と異なる点について説明する。
【００７５】
電線モジュール５００は、電線２と保護部材３Ｄとを備える。電線２は、第１実施形態と構造が同じであるため説明を省略する。
【００７６】
そして、保護部材３Ｄにおいては、他方の端縁（他方端縁５Ｄ）が、一方の端縁（一方端縁４）の輪郭に沿う形状である。なお、保護部材３Ｄの一方端縁４は、第１実施形態と同様の構造であるため、説明を省略する。
【００７７】
本実施形態において、他方端縁５Ｄは、一方端縁４における最突出部４３側に切り込まれた形状を有する。即ち、他方端縁５Ｄは、最も最突出部４３側に深く切り込まれた部分である最切込部５３と、最切込部５３に向けて徐々に深く切り込まれた部分である途中切込部５４と、を含む。
【００７８】
保護部材３Ｄは、例えば、図１２に示されるように、１つの筒状の部材（筒状部材３Ｘ）の軸心方向に沿って切れ目を入れることにより得られる。より具体的には、図１２に示されるように、筒状部材３Ｘに対して一方端縁４の縁形状に沿った切れ目８が入れられる。なお、図１２において、切れ目８は、仮想線（二点鎖線）で示されている。
【００７９】
切れ目８が入れられた筒状部材３Ｘにおいては、切れ目８を挟む部分の片方の端縁は、もう片方の端縁側へ突出する形状に形成される。上記片方の端縁は、保護部材３Ｄにおける一方端縁４を成す。また、切れ目８を挟む部分における上記もう片方の端縁は、一方端縁４側に対し反対側に深く切り込まれた凹状に形成される。上記もう片方の端縁は、他方端縁５Ｄを成す。
【００８０】
そして、筒状部材３Ｘにおける切れ目８によって分離した部分は、収縮しようとする内部応力によって、片方の端縁ともう片方の端縁とが重なる形状に形成される。これにより、一方端縁４が他方端縁５Ｄの上に重なる状態で筒状に形成される保護部材３Ｄを得ることができる。
【００８１】
なお、本実施形態においても、保護部材３Ｄを電線により簡単に装着することが可能となる。
【００８２】
また、本実施形態においては、他方端縁５Ｄが、一方端縁４の輪郭に沿う形状を有する。この場合、保護部材３Ｄの一方側端縁部４１を他方側端縁部５１から離隔させることで形成される電線を収容可能な隙間をより大きくすることができ、保護部材３Ｄの中空部３０に電線を収容する作業の作業性を向上させることができる。
【００８３】
＜応用例＞
第１実施形態において、保護部材３の周囲にさらにテープ等の結束部材が巻かれる場合も考えられる。なお、第２実施形態〜第５実施形態においても同様である。
【００８４】
第１実施形態において、電線２が先入れ電線２１のみを含む場合も考えられる。この場合、先入れ電線２１を保護部材３に収容する作業の作業性を向上させることができる。なお、上記構成を第２実施形態〜第５実施形態に適用することもできる。
【００８５】
なお、本発明に係る保護部材及び電線モジュールは、各請求項に記載された発明の範囲において、以上に示された各実施形態及び応用例を自由に組み合わせること、或いは、各実施形態及び応用例を適宜、変形する又は一部を省略することによって構成されることも可能である。
【符号の説明】
【００８６】
１００  電線モジュール
２  電線
３  保護部材
３０  中空部
４  一方端縁
４１  一方側端縁部
４２  突出部
４３  最突出部
４４  途中突出部
４８  終点部
４９  始点部
５  他方端縁
５１  他方側端縁部
【図１】
2016127723.tif 000003
【図２】
2016127723.tif 000004
【図３】
2016127723.tif 000005
【図４】
2016127723.tif 000006
【図５】
2016127723.tif 000007
【図６】
2016127723.tif 000008
【図７】
2016127723.tif 000009
【図８】
2016127723.tif 000010
【図９】
2016127723.tif 000011
【図１０】
2016127723.tif 000012
【図１１】
2016127723.tif 000013
【図１２】
2016127723.tif 000014